(57)【要約】  点灯条件レジスタに設定されている発光条件に基づいて、主走査方向に連続する複数の蓄積期間のそれぞれにおける５個のＬＥＤのそれぞれ発光比率を変更し、これら５個のＬＥＤから発せられる光を合成した多色の照明光の発光スペクトルを、ＣＩＥＸＹＺ等の標準色空間で表される３種類の等色関数に近似させ、こうして複数のＬＥＤにより照射された原稿からの反射光をセンサで電気信号に変換する。【特許請求の範囲】
【請求項１】
互いに異なる発光スペクトルを有する３つ以上の発光素子と、
前記３つ以上の発光素子の発光期間及び発光強度の少なくとも何れか一方を制御して、前記発光素子を同時又は異なる期間に発光させる発光制御手段と、
前記発光制御手段による制御に従って前記複数の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記複数の発光素子を発光させて、少なくとも１つの蓄積期間内においてその発光させた光の相対的な発光量の比率を３種類の等色関数のうちの１つの曲線に近似させるようにし、
前記主走査方向における蓄積期間の回数は、前記複数の発光素子の数以下の回数であることを特徴とする画像読取装置。
【請求項２】
前記発光制御手段は、前記複数回の蓄積期間のそれぞれで、前記３つ以上の発光素子のそれぞれの発光タイミングをずらして発光駆動することを特徴とする請求項１に記載の画像読取装置。
【請求項３】
前記光電変換手段は光電変換センサを有し、
前記発光素子のそれぞれの発光期間は、所定の発光期間に対する、前記光電変換センサにより検出される白色基準板からの反射光強度と目標最大反射光強度との比率に基づいて決定される最大点灯時間と、等色関数を近似するための係数とに基づいて決定されることを特徴とする請求項１に記載の画像読取装置。
【請求項４】
前記発光制御手段は、少なくとも１つの蓄積期間内において、前記発光素子を発光させた光の相対的な発光量の比率が、ＣＩＥ等色関数の３種類のスペクトル曲線に近似するように前記発光素子のそれぞれの発光期間及び発光強度の少なくとも何れか一方を制御して発光駆動することを特徴とする請求項１に記載の画像読取装置。
【請求項５】
前記発光制御手段は、
前記３つ以上の発光素子のそれぞれの発光条件を記憶するメモリと、
前記メモリに記憶された発光条件に従って、前記３つ以上の発光素子のそれぞれを発光駆動する点灯回路と、
を有することを特徴とする請求項１に記載の画像読取装置。
【請求項６】
前記発光素子の個数が４以上であり、前記蓄積期間の回数が３回であることを特徴とする請求項１に記載の画像読取装置。
【請求項７】
前記発光素子の位置と、前記原稿の位置とを相対的に変化させる変位手段を更に有することを特徴とする請求項１に記載の画像読取装置。
【請求項８】
互いに異なる発光スペクトルを有する３つ以上の発光素子により照射された原稿からの反射光を読取って画像信号を生成する画像読取装置であって、
前記３つ以上の発光素子の発光期間及び発光強度の少なくとも何れか一方を制御して、主走査方向に連続する複数回の蓄積期間ごとに異なる条件で発光駆動する発光制御手段と、
前記発光制御手段による制御に従って前記３つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記複数の発光素子を発光させて、少なくとも１つの蓄積期間内においてその発光させた光の相対的な発光量の比率を３種類の等色関数のうちの１つの曲線に近似させるようにし、
前記主走査方向における蓄積期間の回数は、前記複数の発光素子の数以下の回数であることを特徴とする画像読取装置
【請求項９】
互いに異なる発光スペクトルを有する３つ以上の発光素子により照射された原稿からの反射光を読取って画像信号を生成する画像読取装置の制御方法であって、
前記３つ以上の発光素子の発光期間及び発光強度の少なくとも何れか一方を制御して、前記発光素子を同時又は異なる期間に発光させる制御工程と、
前記制御工程による制御に従って前記複数の発光素子から原稿に向けて光が発せられることにより得られる前記原稿からの反射光を受光して光電変換する光電変換工程と、
前記光電変換工程で光電変換された電気信号に基づいて、前記原稿の画像情報を読み取る読み取り工程とを有し、
前記光電変換工程は、主走査方向における複数回の蓄積期間のそれぞれにおいて前記原稿からの反射光を受光し、前記制御工程は、前記主走査方向における複数回の蓄積期間毎に異なる条件で前記複数の発光素子を発光させて、少なくとも１つの蓄積期間内においてその発光させた光の相対的な発光量の比率を３種類の等色関数のうちの１つの曲線に近似させるようにし、
前記主走査方向における蓄積期間の回数は、前記複数の発光素子の数以下の回数であることを特徴とする画像読取装置の制御方法。
【発明の詳細な説明】
【技術分野】
【０００１】
本発明は、画像読取装置及び画像読取方法に関し、特に、画像情報を読み取るために用いて好適なものである。
【背景技術】
【０００２】
イメージスキャナ等の画像読取装置は、一般に図１９のような構成を有している。図１９において、イメージセンサユニット１は、原稿台ガラス板４上に載置された原稿用紙７からの光学情報を電気信号に変換する。変位ユニット２は、原稿用紙７とイメージセンサユニット１の相対位置を変化させ、原稿用紙７の読み取り位置を変化させる。また制御ユニット３は、イメージセンサユニット１および変位ユニット２を駆動し、イメージセンサユニット１からの電気信号を処理する。【０００３】
イメージスキャナ等の画像読取装置では、カラー画像を入力するのに際し、そのカラー画像の色分解を行っている。かかる色分解を行うために、従来は、蛍光灯などの白色光源で照明した原稿用紙からの反射光を受けるセンサ受光素子として、赤緑青（以下、ＲＧＢと略称する）のそれぞれ異なった分光透過率をもつカラーフィルタを搭載するのが一般的であった。しかしながら近年は、それぞれ発光スペクトルの異なるＲＧＢのＬＥＤ（Light Emitting Diode）素子を光源として用い、これらＲＧＢのＬＥＤ素子を時系列的に順次切り替えて照明することにより光源側で色分解を行う、いわゆる光源切り替え式の画像読取方式が普及している。【０００４】
図８に、従来の技術として、光源切り替え式のイメージセンサユニット１であるコンタクトイメージセンサ（以下ＣＩＳと略称する）の構成を表す断面図を示す。【０００５】
図８において、導光体１２の端面に配置された光源４１より放射された光は、導光体１２内に入射して長手方向に導かれ、原稿台ガラス４の上に置かれた原稿用紙７の読み取り部を主走査方向にライン状に略均一に照明する。このようにして照明された原稿用紙７からの反射光は、レンズアレイ１４により集光され、センサ基板１６上に配置されたセンサアレイ１５に伝達されて電気信号に変換される。こうして得られた原稿画像に対応する電気信号は、コネクタ１７より外部に出力される。なお、図８において、１３は、導光体１２、レンズアレイ１４、及びセンサ基板１６などの構成部材を所定の位置に固定するフレームである。【０００６】
ここで光源４１には、それぞれ発光波長の異なる３つのＬＥＤ４１ｒ，４１ｇ，４１ｂが備えられている。これら３つのＬＥＤ４１ｒ，４１ｇ，４１ｂはそれぞれ赤色、緑色、青色の光を放射する。これらＬＥＤは、図９に示すように、１本の共通配線と各個別配線とを用いて配線され、各ＬＥＤ４１ｒ，４１ｇ，４１ｂが個別に点灯制御できるように構成されている。【０００７】
以上のようなイメージセンサユニット１や、原稿用紙７とイメージセンサユニット１との相対位置を変化させる変位ユニット２は、制御ユニット３により所定のタイミングで駆動される。この制御ユニット３は、原稿用紙７からの光学情報を電気信号に変換する。以下に、この制御ユニット３の動作について説明する。【０００８】
図１０は、従来の技術を示し、画像読取装置の構成を示すブロック図である。【０００９】
画像の読み取り動作時においては、制御ユニット３は、光源コントローラ３３とセンサコントローラ３４とを用いて、イメージセンサユニット１を図１１に示すタイミングチャートに従って駆動する。イメージセンサユニット１を構成するセンサアレイ１５（図８）は、外部から入力される同期信号ＳＰの１周期を画像情報蓄積期間ＴＳとし、１動作サイクル期間中に画像情報を積分し、この積分した画像情報を、次の動作サイクル期間に出力するよう動作する。【００１０】
ここで、センサアレイ１５の画像情報蓄積期間ＴＳの３周期分の期間ＴＣをカラー読み取り動作の１周期とし、この期間ＴＣ中の動作サイクル期間毎に図１２に示す光源コントローラ３３を用いて、制御信号φＬｒ，φＬｇ，φＬｂにより光源４１のＬＥＤ４１ｒ，４１ｇ，４１ｂを個別に順次点灯させる。こうすることによって、原稿用紙７を各ＬＥＤ４１ｒ，４１ｇ，４１ｂの発光スペクトルで色分解する、いわゆる光源切り替え式の色分解が行われ、線順次に色分解された画像情報出力（ライン出力）ＯＳ（ｒ），ＯＳ（ｇ），ＯＳ（ｂ）が得られる。【００１１】
制御ユニット３は、以上のようにイメージセンサユニット１を駆動し、それと同期して変位ユニットコントローラ３２により変位ユニット２を駆動して、原稿用紙７の読み取り部とイメージセンサユニット１との相対位置を変位させ、原稿用紙７の２次元画像情報を収集する。以下に、制御ユニット３で行われてきた従来の画像信号処理について説明する。【００１２】
原稿用紙７の読み取り動作に先立ち、まず制御ユニット３は以下のような準備動作を行う。【００１３】
制御ユニット３は、変位ユニット２を制御してイメージセンサユニット１を所定の初期位置に移動させる。図１９において、初期位置における原稿台ガラス４上には白基準板５が設置してあり、制御ユニット３はここでイメージセンサユニット１の光源４１を構成する各ＬＥＤ４１ｒ，４１ｇ，４１ｂの発光量を個別に調整する。【００１４】
このようにして各ＬＥＤ４１ｒ，４１ｇ，４１ｂの発光量を個別に調整するのは、各ＬＥＤ４１ｒ，４１ｇ，４１ｂの発光効率やセンサ感度のばらつきを補正して、ＲＧＢのライン出力ＯＳ（ｒ），ＯＳ（ｇ），ＯＳ（ｂ）の出力レベルをＡ／Ｄ変換器３５の入力レンジＶＨに適合させ、最適なＳ／Ｎ比で画像情報を得るためである。【００１５】
各ＬＥＤ４１ｒ，４１ｇ，４１ｂの発光量を調整する手法としては、例えば、画像情報蓄積期間ＴＳにおける各ＬＥＤ４１ｒ，４１ｇ，４１ｂの点灯強度或は点灯期間を調整する方法が用いられている。図１２に示す光源コントローラ３３において、点灯条件レジスタ３３ａに所定の点灯期間ＴＤを設定し、原稿台ガラス４の上面に設置された白基準板５を読み取る。このときセンサアレイ１５における各色のライン出力の最大値をそれぞれＶｒ１，Ｖｇ１，Ｖｂ１とし、目標とする出力の最大値をＶＨとして、各ＬＥＤ４１ｒ，４１ｇ，４１ｂの点灯条件レジスタ３３ａの値ＴＬｒ，ＴＬｇ，ＴＬｂをそれぞれ以下の（１式）〜（３式）のように設定する。【００１６】
ＴＬｒ＝ＴＤ×ＶＨ／Ｖｒ１    ...式（１）
ＴＬｇ＝ＴＤ×ＶＨ／Ｖｇ１    ...式（２）
ＴＬｂ＝ＴＤ×ＶＨ／Ｖｂ１    ...式（３）
この結果、各ＬＥＤ４１ｒ，４１ｇ，４１ｂの発光量が点灯時間により調整され、ＲＧＢのライン出力ＯＳ（ｒ)，ＯＳ（ｇ)，ＯＳ（ｂ)の出力レベルは、それぞれ等しくなり、Ａ／Ｄ変換器３５の入力レンジＶＨに適合する。【００１７】
次に、センサアレイ１５の出力信号に含まれるオフセット誤差やゲイン誤差を補正するシェーディング補正器３６で使用される参照データを取得して、メモリ３７に保存する。具体的に説明すると、まず光源４１を消灯状態にしておいてオフセット補正データＤを取得し、これをメモリ３７に保存する。次に、光源４１を構成する３つのＬＥＤ４１ｒ，４１ｇ，４１ｂの点灯期間をそれぞれ前述の光量補正された点灯期間ＴＬｒ，ＴＬｇ，ＴＬｂに設定する。そして、設定した点灯期間ＴＬｒ，ＴＬｇ，ＴＬｂで３つのＬＥＤ４１ｒ，４１ｇ，４１ｂを順次点灯させ、ゲイン補正データＷｒ，Ｗｇ，Ｗｂを取得し、これをメモリ３７に保存する。【００１８】
以上の準備動作を行った後、制御ユニット３は、イメージセンサユニット１と変位ユニット２とをそれぞれ駆動して、原稿用紙７の光学情報を電気信号に変換する。イメージセンサユニット１が出力するアナログ信号は、Ａ／Ｄ変換器３５でデジタルデータに変換される。【００１９】
シェーディング補正器３６は、例えばセンサアレイ１５の各色ライン出力Ｓｒ，Ｓｇ，Ｓｂについて、以下の（４式）〜（６式）の演算を行うことで、オフセット誤差やゲイン誤差を補正し、規格化ライン出力［Ｒ］，［Ｇ］，［Ｂ］を得る。【００２０】
［Ｒ］＝（Ｓｒ−Ｄ）／（Ｗｒ−Ｄ）    ...式（４）
［Ｇ］＝（Ｓｇ−Ｄ）／（Ｗｇ−Ｄ）    ...式（５）
［Ｂ］＝（Ｓｂ−Ｄ）／（Ｗｂ−Ｄ）    ...式（６）
このようにしてシェーディング補正された規格化ライン出力［Ｒ］，［Ｇ］，［Ｂ］は、一旦、ラインメモリ３８に保存される。そして、線順次に色分解された画像信号の時間遅れが調整される。その後、原稿用紙７上の同一位置に対応するＲＧＢの規格化出力信号Ｒｉ，Ｇｉ，Ｂｉを順次取り出して、色空間変換器３９により色空間の変換処理を行う。図１３は、この色空間変換器３９における色空間の変換を説明する図である。ここでは３×３の補正行列Ｍを用いて色空間変換処理を行う。こうして色空間変換処理が行われたＲＧＢの規格化出力信号Ｘｉ，Ｙｉ，Ｚｉが出力される。【００２１】
ところで、画像入力機器（入力デバイス）により測色された画像データは、ディスプレイやプリンタ等の画像出力機器（出力デバイス）により再生される。しかし画像入力機器や画像出力機器は、光源、フィルタ、色素等による固有の色空間を持っている。よって、画像入力機器と画像出力機器とを接続して所望の色再現を得るためには、その色空間の違いを考慮した信号処理が必要である。画像入力機器と画像出力機器との色空間が１対１に固定されていれば、それぞれの色空間を接続する１つの色空間変換器があればよいが、入力された画像データの用途は様々であり、一般には出力先を固定できない。【００２２】
このため、画像入力機器は、画像入力機器に固有の色空間にある画像データを、デバイスに依存しない共通の標準色空間に変換して出力する。そして、画像出力機器における画像データの再現時には、その標準色空間にある画像データを、その画像出力機器に固有の色空間に変換するようにしている。こうした変換先の標準色空間として、ＣＩＥＸＹＺ，ＣＩＥＬＡＢ等の色空間が使用される。【００２３】
前述した色空間変換器３９に含まれる３×３の補正行列Ｍの係数は、例えば３刺激値が既知であるＮ枚の色票に対するセンサ信号により計算される。具体的に、補正行列Ｍは、Ｎ色のターゲットの３刺激値行列をＴN、Ｎ色のターゲットに対するセンサ出力行列をＵNとすると、ＴNとＴ´N（＝ＭＵ）の平均二乗誤差が最小となるように、以下の式（７）によって求められる。【００２４】
Ｍ＝［ＴNＵNt］［ＵNＵNt］-1    式（７）
こうした色校正に用いる標準色票としてはＩＳＯ／ＤＩＳ  １２６４１  ＩＴ８色票が知られている。
【特許文献１】特開昭６１−１４８９５９号公報
【特許文献２】特開平０８−２７５００６号公報
【特許文献３】特開平１１−２４３４９２号公報
【発明の開示】
【発明が解決しようとする課題】
【００２５】
しかしながら、前述した従来の技術では、以下のような課題があった。【００２６】
画像読取装置の測色誤差を小さくするためには、使用されるイメージセンサユニット１がルータ条件として知られている条件を満たす必要がある。即ち、標準色空間を構成する等色関数に対し、センサの総合分光感度が線形結合である必要がある。【００２７】
一方、従来のセンサアレイでは、光源４１にＬＥＤ４１ｒ，４１ｇ，４１ｂを使用しており、色分解はそれらの点灯の切り替えにより行われる。このため、総合分光感度は、ほぼＬＥＤ４１ｒ，４１ｇ，４１ｂの発光スペクトルで決定される。【００２８】
図１４に、ピークで規格化したＣＩＥＸＹＺ等色関数ｘ（λ），ｙ（λ），ｚ（λ）と、従来のＣＩＳに使用されるＲＧＢの３色のＬＥＤ４１ｒ，４１ｇ，４１ｂの発光スペクトルｒ（λ），ｇ（λ），ｂ（λ）とを示す。センサアレイに使用されているＲＧＢの３色のＬＥＤ４１ｒ，４１ｇ，４１ｂの発光スペクトルｒ（λ），ｇ（λ），ｂ（λ）の主波長と半値幅の代表値は以下のようになる。【００２９】
Ｒ：主波長λｄ＝６３０ｎｍ、半値幅＝約２０ｎｍ
Ｇ：主波長λｄ＝５２５ｎｍ、半値幅＝約３５ｎｍ
Ｂ：主波長λｄ＝４７０ｎｍ、半値幅＝約３０ｎｍ
図１４から明らかなように、ＬＥＤ４１ｒ，４１ｇ，４１ｂの発光スペクトルｒ（λ），ｇ（λ），ｂ（λ）の半値幅は、対応する等色関数ｘ（λ），ｙ（λ），ｚ（λ）のスペクトル幅に比べて狭い。従って、ＬＥＤ４１ｒ，４１ｇ，４１ｂの発光スペクトルｒ（λ），ｇ（λ），ｂ（λ）の組み合わせだけでは、標準色空間を構成する等色関数ｘ（λ），ｙ（λ），ｚ（λ）を近似することが困難になり、測色性能がよくないという問題があった。【００３０】
図１５に、ＬＥＤ４１ｒ，４１ｇ，４１ｂを使用した従来の画像読取装置をシミュレーションすることにより得られた測色誤差を表すｘ−ｙ色度図を示す。図１５に示すｘ−ｙ色度図において、白丸は、ＩＴ８ターゲットのＸＹＺ３刺激値であり、黒丸は、ＬＥＤ４１ｒ，４１ｇ，４１ｂを使用した従来の画像読取装置のイメージセンサユニット１の出力である３刺激値である。図１５に示すように、白丸と黒丸の位置がずれており、測色誤差の発生が起こっていることを確認できる。【００３１】
図１５に示すｘ−ｙ色度図から得られた平均色差ΔＥは「約８」であった。一般に、この標準色差ΔＥが「３」以上であると、人間の目で測色誤差を識別することが可能であることが知られている。従って、図１５に示すｘ−ｙ色度図から得られた平均色差ΔＥは、人間が十分に認識できる程大きな値であると言える。【００３２】
こうした課題に対し、光源の点灯条件を変えて所定の色再現を目指した方法が検討されている（特許文献１参照）。また、光源色、即ち、色分解数を増やすことにより、発光スペクトルの半値幅が狭いＬＥＤを光源として用いながらも測色誤差を小さくする試みがなされている（特許文献２及び３を参照）。特許文献２では、従来のＲＧＢの３色のＬＥＤに、青緑色のＬＥＤを追加した合計４色のＬＥＤを使用して、３刺激値（tri-stimulus）に変換することによって、色情報の再現性を高める方法が開示されている。【００３３】
こうした試みにより発光スペクトルの半値幅が狭いＬＥＤを光源として使用しながらも、測色性能を向上させることは可能である。しかしながら、光源切り替え方式によって色分解数を増やすことは、その色数分に応じた回数の走査を行わなければならない。このため、原稿用紙７の読み取り時間が増大するという問題がある。さらに、読み取った画像情報を記憶するためのメモリ素子などのシステムリソースも増加するという問題もある。【００３４】
例えば５色のＬＥＤを用いて５色に色分解する場合のイメージセンサ装置の構成を例に挙げて、前述した課題について説明する。光源の５個の異なる発光波長をもつＬＥＤは、図９に示したのと同様な回路構成により結線され、５個のＬＥＤを独立に点灯制御することが可能になっている。そして、例えば図１６に示すような光源コントローラ１６０に設けられている点灯条件レジスタ１６０ａに設定された点灯期間ＴＬａ〜ＴＬｅに従って、パルス発生器１６０ｂで生成された制御信号φＬａ，φＬｂ，φＬｃ，φＬｄ，φＬｅを点灯回路１６０ｃに供給することによって、光源１６１として設けられている５個のＬＥＤをそれぞれ個別に点灯できるようにしている。【００３５】
このようなイメージセンサユニットを従来の方法に従って駆動する場合、５個のＬＥＤは、例えば図１７に示すタイミングチャートに従って発生する制御信号φＬａ，φＬｂ，φＬｃ，φＬｄ，φＬｅによって制御される。即ち、従来の一般的な色分解方式では、図１７に示すように、時系列的に５個のＬＥＤを順次発光させて、それぞれのタイミングで画像信号を得ることが容易に想像できる。【００３６】
そして図１８に示すように、色空間変換器１８０は５種類の色情報Ａｉ，Ｂｉ，Ｃｉ，Ｄｉ，Ｅｉから、３×５の補正行列Ｍを用いて、標準色空間上の３刺激値（Ｘｉ，Ｙｉ，Ｚｉ）に変換した画像信号を得る。【００３７】
以上のことから明らかなように、従来の技術において５色の光源の切り替え動作を行う場合、３色の光源の切り替え動作に比べて、読み取りにかかる時間は５／３倍（約１．６７倍）になる。さらに、図１０に示した画像読取装置のシステムリソースとして、シェーディング補正やライン遅延、或は色変換に使用するメモリ量も、３色の光源を用いる場合に比べて５／３倍（約１．６７倍）必要になる。【００３８】
本発明は上記問題点に鑑みてなされたもので、本願発明の特徴は、上記従来例の欠点を解決することにある。【００３９】
本発明は、原稿の読み取りを行うに際し、読み取り時間の増大やメモリ容量の増大を抑えつつ、測色誤差を可及的に小さくするようにすることを目的とする。
【課題を解決するための手段】
【００４０】
本発明の一態様に係る画像読取装置は、以下のような構成を備える。即ち、
互いに異なる発光スペクトルを有する３つ以上の発光素子と、
前記３つ以上の発光素子の発光期間及び発光強度の少なくとも何れか一方を制御して、前記発光素子を同時又は異なる期間に発光させる発光制御手段と、
前記発光制御手段による制御に従って前記複数の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記複数の発光素子を発光させて、少なくとも１つの蓄積期間内においてその発光させた光の相対的な発光量の比率を３種類の等色関数のうちの１つの曲線に近似させるようにし、
前記主走査方向における蓄積期間の回数は、前記複数の発光素子の数以下の回数であることを特徴とする。
【発明の効果】
【００４１】
本発明によれば、原稿の読取りを行うのに際し、読取り時間の増大やメモリ容量の増大を抑えつつ、測色誤差を小さくできるという効果がある。
本願発明の他の特徴や目的及び利点は、以下に添付図面を参照してなされる説明より明らかになるであろう。尚、添付図面では、図面を通して共通する部分は同じ記号で示している。
【図面の簡単な説明】
【００４２】
本願の実施の形態の一部を構成する添付図面は、本願発明の原理を説明するために、その実施の形態の説明と共に本願発明を例示するものである。
【図１】本発明の実施の形態１に係る画像読取装置の構成例を説明する概略断面図である。
【図２】本発明の実施の形態１に係る画像読取装置の機能構成を説明する機能ブロック図である。
【図３】本発明の実施の形態１に係る画像読取装置における、原稿用紙の読み取り動作中のイメージセンサユニットの駆動動作を説明するタイミングチャートである。
【図４】本発明の実施の形態１に係る画像読取装置の光源コントローラの構成例を示すブロック図である。
【図５Ａ】、
【図５Ｂ】、
【図５Ｃ】本発明の実施の形態１に係る画像読取装置により得られる照明光の特性の一例を示す図である。
【図６】本発明の実施の形態１に係る画像読取装置をシミュレーションすることにより得られた測色精度を表すｘ−ｙ色度図である。
【図７】本発明の実施の形態２に係る画像読取装置で、光源の点灯時間を時分割した場合のイメージセンサユニットの駆動動作の一例を説明するタイミングチャートである。
【図８】従来のイメージセンサユニットの構成を示す断面図である。
【図９】従来のイメージセンサユニットにおけるＬＥＤの配置を説明する図である。
【図１０】従来の画像読取装置の構成を示すブロック図である。
【図１１】従来の画像読取装置における、ＬＥＤが３つの場合のイメージセンサユニットの駆動動作を説明するタイミングチャートである。
【図１２】従来の画像読取装置における、ＬＥＤが３つの場合の光源コントローラの構成を示す図である。
【図１３】従来の画像読取装置における、ＬＥＤが３つの場合の色空間補正器の構成を示すブロック図である。
【図１４】従来の画像読取装置における、等色関数と、ＬＥＤの発光スペクトルとの関係を示す図である。
【図１５】従来の画像読取装置における、ＬＥＤが５つの場合の画像読取装置をシミュレーションすることにより得られた測色誤差を表すｘ−ｙ色度図である。
【図１６】従来の画像読取装置における、ＬＥＤが５つの場合の光源コントローラの構成を示す図である。
【図１７】従来の画像読取装置における、ＬＥＤが５つの場合のイメージセンサユニットの駆動動作を説明するタイミングチャートである。
【図１８】従来の画像読取装置における、ＬＥＤが５つの場合の色空間補正器の構成を示すブロック図である。
【図１９】従来の画像読取装置の構成を説明する概略断面図である。
【発明を実施するための最良の形態】
【００４３】
以下、添付図面を参照して本発明の好適な実施の形態を詳しく説明する。尚、以下の実施の形態は、クレームに係る発明を限定するものでなく、また実施の形態の中で説明されている特徴の組み合わせの全てが発明の解決手段に必須のものとは限らない。【００４４】
［実施の形態１］
図１は、本発明の実施の形態に係る画像読取装置の構成を説明する概略断面図である。尚、本実施の形態に係る画像読取装置６は、図１９に示した従来の画像読取装置と、イメージセンサユニット及び制御ユニットの構成が異なる。したがって、以下の実施の形態の説明において、従来の画像読取装置と同一の部分については、図８〜図１９に付した符号と同一の符号を付して、それらの詳細な説明を省略する。【００４５】
（画像読取装置の構成）
本実施の形態に係る画像読取装置６は、スキャナやカラーファクシミリ、或いはこれらの複合機に利用可能であり、またカラー複写機の画像入力部にも利用可能である。そして、本実施の形態では、５個の異なる発光波長をもつＬＥＤ１１ａ，１１ｂ，１１ｃ，１１ｄ，１１ｅ（図４）が光源としてイメージセンサユニット１０に備えられた画像読取装置を例に挙げて説明する。【００４６】
５個のＬＥＤ１１ａ〜１１ｅは、前述したように発光素子毎に個別の駆動端子を備え、それぞれ独立して点灯できるように構成されている。尚、本実施の形態では、ＬＥＤが５個の場合を例に挙げて説明するが、後述するように、光源を構成するＬＥＤの色数は多いほうが好ましい。また本実施の形態のイメージセンサユニット１０は、図８に示したのと同様な構成を有するＣＩＳ（コンタクトイメージセンサ）である。【００４７】
ここで、図１に示す本実施の形態の画像読取装置６について、フラットベット型の画像読取装置を例に挙げて簡単に説明する。この画像読取装置６の主要な部分は、イメージセンサユニット１０であり、これに原稿用紙７の照明・読み取り位置を変化させるための変位ユニット２を配置したものである。原稿用紙７は原稿台ガラス４上に固定されており、イメージセンサユニット１０が副走査方向に移動する。【００４８】
変位ユニット２は、イメージセンサユニット１０の相対位置を連続的に変化させるものである。従って、センサアレイ１５が検出する画像情報は、イメージセンサユニット１０の位置ごとに異なるものである。また、本実施の形態の画像読取装置６は、ＲＧＢの３色分のスキャンを行うに際し、原稿用紙７上の同一位置の情報を再現するために、位置補正用のラインメモリ３８（図２）を備えている。【００４９】
イメージセンサユニット１０のセンサアレイ１５の光電変換部としては、一般にＣＭＯＳ型受光素子とＣＣＤ型受光素子とがある。後述するように本実施の形態では、多色のＬＥＤを光源として用いてイメージセンサユニット１０を構成し、３種類の照明光を用いて原稿用紙７を照明し、その反射光をセンサアレイ１５の受光素子で受ける。よって、受光素子は、いずれの画像情報蓄積期間ＴＳにあっても一色の画像情報を光電変換しているに過ぎない。よって本実施の形態による画像読取装置６では、これら受光素子として、ＣＭＯＳ型受光素子及びＣＣＤ型受光素子の何れをも用いることができる。【００５０】
図２は、本実施の形態に係る画像読取装置６の機能構成を示す機能ブロック図である。本実施の形態では、制御ユニット３０に設けられている変位ユニットコントローラ３２の制御に従って変位ユニット２により原稿用紙７の読み取り位置を変化させながら、イメージセンサユニット１０が原稿用紙７の全体をスキャンする。この間、光源コントローラ２３によって、光源１１の点灯条件、即ち、ＬＥＤ１１ａ〜１１ｅの発光強度や発光期間に対応する光源駆動信号（駆動信号）がイメージセンサユニット１０内の光源１１に提供される。【００５１】
図３は、本実施の形態１に係る画像読取装置における、原稿用紙７の読み取り動作中のイメージセンサユニット１０の駆動動作の一例を説明するタイミングチャートである。【００５２】
図３において、ＴＣは、一走査線上の画像情報の蓄積期間を示す。この蓄積期間ＴＣ内において、イメージセンサユニット１０を構成するセンサアレイ１５は、３サイクルの画像信号の積分期間（蓄積期間）ＴＳ１，ＴＳ２，ＴＳ３で、画像信号を積分（蓄積）する。即ち、本実施の形態１では、主走査方向における読み取りが３回行われるようにしている。【００５３】
図３に示す各積分期間ＴＳ１，ＴＳ２，ＴＳ３において、図２に示した光源コントローラ２３からＬＥＤ１１ａ〜１１ｅに対して、駆動信号φＬａ，φＬｂ，φＬｃ，φＬｄ，φＬｅが、それぞれ図３に示すタイミングで出力される。即ち、図４に示す光源コントローラ２３に設けられている点灯条件レジスタ２３ａに設定された値に従って、パルス発生器２３ｂで駆動信号φＬａ〜φＬｅを発生させる。これら駆動信号φＬａ〜φＬｅは、点灯回路２３ｃの、各ＬＥＤに対応するスイッチング回路に供給され、光源１１を構成するＬＥＤ１１ａ〜１１ｅを点灯駆動する。ここで、５個のＬＥＤ１１ａ〜１１ｅのそれぞれの、各サイクルごとの点灯条件は、図４に示す点灯条件レジスタ２３ａに記憶されている。従って、この点灯条件に従って各ＬＥＤを点灯駆動することにより、各ＬＥＤ１１ａ〜１１ｅのそれぞれを、光量および点灯時間の比率を異ならせた３種類の点灯パターンで駆動できる。即ち、各積分期間（サイクル）ＴＳ１，ＴＳ２，ＴＳ３における、ＬＥＤ１１ａ〜１１ｅのそれぞれの点灯パターンを異ならせることができる。【００５４】
（等色関数の近似方法）
ここで、各ＬＥＤ１１ａ〜１１ｅの発光比率を変えた３種類の点灯パターンは、合成された多色の照明光の発光スペクトルが、ＣＩＥＸＹＺ等の標準色空間で表される３種類の等色関数をそれぞれ近似するように決められる。即ち、各ＬＥＤ１１ａ〜１１ｅの発光比率を変えた３種類の点灯パターンは、ＬＥＤ１１ａ〜１１ｅから発生される光の相対光量の比率が、ＣＩＥＸＹＺ等の標準色空間で表される３種類の等色関数に近似した強度比を持つように決められる。【００５５】
その手法を以下に示す。まず、各ＬＥＤ１１ａ〜１１ｅの発光量をセンサ１５の分光感度で規格化する。本実施の形態１に係る画像読取装置６において、制御ユニット３０は変位ユニット２を駆動し、イメージセンサユニット１０を原稿支持ガラス４に設置された白基準板５の位置まで移動させる。この白基準板５の色は、分光反射率がフラットなニュートラル色が望ましい。【００５６】
次に、５つのＬＥＤ１１ａ〜１１ｅを、それぞれ独立に点灯させて白基準板５を照明し、センサ１５の出力が所定の値になるまでの点灯時間ＴＬＷｎを計測する。尚、本実施の形態では、５つのＬＥＤ１１ａ〜１１ｅを光源として用いており、計測された５つのＬＥＤ１１ａ〜１１ｅの点灯時間ＴＬＷｎを、それぞれＴＬＷａ，ＴＬＷｂ，ＴＬＷｃ，ＴＬＷｄ，ＴＬＷｅとする。【００５７】
図４に示した光源コントローラ２３において、点灯条件レジスタ２３ａに所定の点灯期間ＴＤを設定し各ＬＥＤを点灯させる。そして各ＬＥＤからの光が白基準板５から反射された反射光を読み取る。このときイメージセンサユニット１０の各色のライン出力の最大値をそれぞれＶａ１，Ｖｂ１，Ｖｃ１，Ｖｄ１，Ｖｅ１とし、目標とするライン出力の最大値をＶＨとすると、各色のＬＥＤ１１ａ〜１１ｅによる白基準板５の点灯期間ＴＬＷａ〜ＴＬＷｅは、それぞれ以下の（８式）〜（１２式）で求めることができる。【００５８】
ＴＬＷａ＝ＴＤ×ＶＨ／Ｖａ１    ...式（８）
ＴＬＷｂ＝ＴＤ×ＶＨ／Ｖｂ１    ...式（９）
ＴＬＷｃ＝ＴＤ×ＶＨ／Ｖｃ１    ...式（１０）
ＴＬＷｄ＝ＴＤ×ＶＨ／Ｖｄ１    ...式（１１）
ＴＬＷｅ＝ＴＤ×ＶＨ／Ｖｅ１    ...式（１２）
また、３種類の点灯パターンの等色関数を近似するために、５個のＬＥＤ１１ａ〜１１ｅの発光比率を求めるに際し、図１８に示した色空間変換器で使用される３×５の補正行列Ｍの係数（ａ11，ａ12，...，ａ34，ａ35）を使用することが可能である。例えば、５色のＬＥＤ１１ａ〜１１ｅを１つずつ順次点灯させて行なわれる５回の光源切り替え動作により、３刺激値が既知であるＮ枚の色票を読み取り、読み取った各色票に対するセンサ信号より補正行列Ｍを計算できる。【００５９】
Ｎ色のターゲットの３刺激値行列をＴN、Ｎ色のターゲットに対する５色のセンサ出力行列をＵNとすると、補正行列Ｍは、ＴNとＴ´N（＝ＭＵ）の平均二乗誤差が最小となるように、以下の（１３式）によって求められる。【００６０】
Ｍ＝［ＴNＵNt］［ＵNＵNt］-1  ...式（１３）
このとき、図１８の補正行列Ｍの係数ａ11，ａ12，...，ａ35と、前述した各ＬＥＤ１１ａ〜１１ｅの白基準板５に対する点灯期間ＴＬＷａ〜ＴＬＷｅとに基づいて、図４に示す光源コントローラ２３の点灯条件レジスタ２３ａに設定される各ＬＥＤ１１ａ〜１１ｅの点灯条件レジスタ値ＴＬＸａ〜ＴＬＺｅは、以下の式（１４）〜式（２８）で計算される。【００６１】
ＴＬＸａ＝ＴＬＷａ×ａ11    ...式（１４）
ＴＬＹａ＝ＴＬＷａ×ａ21    ...式（１５）
ＴＬＺａ＝ＴＬＷａ×ａ31    ...式（１６）
ＴＬＸｂ＝ＴＬＷｂ×ａ12    ...式（１７）
ＴＬＹｂ＝ＴＬＷｂ×ａ22    ...式（１８）
ＴＬＺｂ＝ＴＬＷｂ×ａ32    ...式（１９）
ＴＬＸｃ＝ＴＬＷｃ×ａ13    ...式（２０）
ＴＬＹｃ＝ＴＬＷｃ×ａ23    ...式（２１）
ＴＬＺｃ＝ＴＬＷｃ×ａ33    ...式（２２）
ＴＬＸｄ＝ＴＬＷｄ×ａ14    ...式（２３）
ＴＬＹｄ＝ＴＬＷｄ×ａ24    ...式（２４）
ＴＬＺｄ＝ＴＬＷｄ×ａ34    ...式（２５）
ＴＬＸｅ＝ＴＬＷｅ×ａ15    ...式（２６）
ＴＬＹｅ＝ＴＬＷｅ×ａ25    ...式（２７）
ＴＬＺｅ＝ＴＬＷｅ×ａ35    ...式（２８）
即ち、従来の技術では、３×５の補正行列Ｍによる色空間変換処理を、センサアレイ１５から出力された画像信号の処理回路の後段で行っていた。これに対し本実施の形態１では、多色の光源（ＬＥＤ１１ａ〜１１ｅ）の駆動によって、光源側で３種類の等色関数に近似した照明光をそれぞれ作成する。これによりスキャナなどの信号処理回路においても従来のＲＧＢの３色の光源を用いた場合と同様に処理することができる。【００６２】
つまり、従来の技術にあっては、例えば光源に４色の発光素子を用いた場合、光源を順次点灯させて原稿用紙７を照明するので、４回の読み取り走査期間が必要であった。さらにシェーディング補正や原稿用紙７の読み取り位置補正等のために、ラインメモリを余分に配置する必要があった。これに対して本実施の形態１によれば、これらの補正等に要するデータの保存に必要なラインメモリ３８も、従来と同じ３色分の容量があればよい。【００６３】
このように本実施の形態１では、５色の光源の切り替え動作を伴うにも関わらず、３色の光源の切り替え動作と同様な読み取り走査方法を利用することが可能である。また、複数の光源（ＬＥＤ１１ａ〜１１ｅ）を同時に点灯しているので、全体の照明光量も増加しており、従来のＲＧＢの３色を照明する方式に比べて、読み取り速度を高速化することが可能である。【００６４】
図５Ａ〜図５Ｃは、本実施の形態１に係る画像読取装置６により得られる照明光の特性の一例を示す図である。【００６５】
これら図には、５つのＬＥＤ１１ａ〜１１ｅからの光量を適宜混合して形成された３種類の点灯パターンの発光スペクトル５１ａ〜５１ｃと、そのＣＩＥ等色関数ｘ（λ），ｙ（λ），z（λ）の曲線５２ａ〜５２ｃとを示している。図に示すように、等色関数の曲線５２ａ〜５２ｃを、発光スペクトル５１ａ〜５１ｃによって、離散的ではあるが良く近似できていることが分かる。【００６６】
このように本実施の形態１では、各ＬＥＤ１１ａ〜１１ｅは、等色関数の相対強度に対応した強度が得られるように点灯動作を行う。これにより、従来のように各色ずつ１つのＬＥＤのみを照明するのに比べて、イメージセンサユニット１０の色情報が豊富になり、色再現性が各段に向上する。【００６７】
また本実施の形態１では、等色関数を近似する発光色を用いるようにしているので、図１０に示した従来の画像読取装置と比較して、色空間変調器３９が不要となる。こうして色空間変換処理により出力信号を３刺激値に変換することなく、変調された色情報を直接読み取ることができる。更に、各ＬＥＤ１１ａ〜１１ｅの発光タイミングが重なっても良いので、画像情報の蓄積期間を、ＬＥＤ１１ａ〜１１ｅの最大発光時間に等しく設定するか、若しくは若干長めに設定すればよくなる。従って、図１０に示した従来の画像読取装置と比較して、１ライン部の画像情報の読み取り時間を短縮することができる。【００６８】
以上のように本実施の形態１では、点灯条件レジスタ２３ａに設定されている条件に基づいて、５個のＬＥＤ１１ａ〜１１ｅのそれぞれの発光比率を変えることにより形成した発光スペクトル５１ａ〜５１ｃを、ＣＩＥＸＹＺ等の標準色空間で表される３種類の等色関数（例えばＣＩＥ等色関数５２ａ〜５２ｃ）に近似させるようにした。即ち、３種類の等色関数に近似した発光スペクトル５１ａ〜５１ｃを、画像信号の積分期間（蓄積期間）ＴＳ１、ＴＳ２、ＴＳ３に、光源側で生成するようにした。これにより、主走査方向における（１ラインの）情報の読み取り速度の低下やメモリ容量の増大を可及的に抑えつつ、測色精度を向上させることができる。【００６９】
前述したように、画像信号の積分期間に各色ずつ１つのＬＥＤのみを照明する従来の技術では、使用するＬＥＤ毎に画像信号の積分期間が必要となる。このため、ＬＥＤからの発光スペクトルを等色関数に近づけて色彩度を上げるには、ＬＥＤの個数を増やす必要があることに加え、それら増やしたＬＥＤの数に応じて画像信号の積分期間の数を増大させる必要がある。例えば、５個のＬＥＤを用いた場合には、５つの積分期間が必要になる。したがって、従来の技術では、測色精度を向上させようとすると、主走査方向における情報の読み取り速度やメモリ容量が増大してしまう。【００７０】
これに対し本実施の形態１では、５個のＬＥＤ１１ａ〜１１ｅに対し、画像信号の積分期間ＴＳ１〜ＴＳ３を３つとし、これら３つの積分期間ＴＳ１，ＴＳ２，ＴＳ３に、ＬＥＤ１１ａ〜１１ｅのそれぞれを独立して点灯制御することにより、３種類の等色関数に近似した発光スペクトル５１ａ〜５１ｃを生成する。これにより測色精度を向上でき、かつ主走査方向における情報の読み取り時間やメモリ容量の増大を防止することができる。【００７１】
なお、本実施の形態では、画像信号の積分期間（蓄積期間）ＴＳ１，ＴＳ２，ＴＳ３における３種類の点灯パターンを決定するに際し、ＬＥＤ１１ａ〜１１ｅの光量（強度）及び発光期間の双方を、３種類の点灯パターン毎に異ならせるようにしたが、必ずしもこのようにする必要はない。即ち、ＬＥＤ１１ａ〜１１ｅを用いて形成した発光スペクトル（例えば発光スペクトル５１ａ〜５１ｃ）を、３種類の等色関数（例えばＣＩＥ等色関数５２ａ〜５２ｃ）に近似させるようにしていれば、ＬＥＤ１１ａ〜１１ｅの光量および点灯時間の何れか一方だけを、３種類の点灯パターン毎に異ならせるようにしてもよい。【００７２】
また本実施の形態１では、３つの積分期間（蓄積期間）ＴＳ１，ＴＳ２，ＴＳ３で、画像信号を積分（蓄積）するようにしたが（即ち、主走査方向における読み取りが３回行われるようにしたが）、この積分期間の数は「３」に限定されない。即ち、ＬＥＤ１１ａ〜１１ｅを用いて形成した発光スペクトルを、３種類の等色関数に近似させるようにしていれば、４個以上のＬＥＤ光源を用いた場合であっても、画像信号積分期間の数を、３以上、ＬＥＤの数未満にすることができる。具体的には本実施の形態では、５個のＬＥＤ１１ａ〜１１ｅを用いているので、画像信号積分期間の数を「３」ではなく「４」にしてもよい。【００７３】
さらにまた変形例として、従来のＲＧＢ３個のＬＥＤを使用したときであっても、一蓄積期間内において、例えば図５Ａに示す等色関数ｘ（λ）曲線に近似した光量比で、３色ＬＥＤを異なる条件で発光させる方法がある。ただしこの場合、蓄積期間の回数は従来通り３回のままである。しかし、本実施の形態１の画像読取装置６では、直接ＣＩＥ等色関数ｘ（λ），ｙ（λ），z（λ）に相当する色情報を読み出すことができるために、色空間変換が不要となるので、画像情報処理が簡便化できる。また、一蓄積期間に複数の発光素子を点灯するために、個々の発光素子の光量を抑制することができ、ＬＥＤ駆動電源の負荷を軽減することができる利点がある。【００７４】
さらに、ＬＥＤ１１ａ〜１１ｅを用いて形成した発光スペクトルを、３種類の等色関数に近似させるようにしていれば、前記３種類の等色関数は、どのようなものであってもよい。例えば、前述したようなＣＩＥ等色関数や、ＣＩＥ標準観察者の３種類のスペクトル曲線（等色関数）であってもよい。【００７５】
なお、ＬＥＤ１１ａ〜１１ｅの発光動作により形成した発光スペクトル（例えば発光スペクトル５１ａ〜５１ｃ）を、３種類の等色曲線（例えばＣＩＥ等色関数ｘ（λ），ｙ（λ），z（λ）の曲線５２ａ〜５２ｃ）に近似させることは、ＬＥＤ１１ａ〜１１ｅの発光動作により形成される発光スペクトルを、３種類の等色関数に積極的に近づけるように、ＬＥＤ１１ａ〜１１ｅの発光動作を制御することを含む概念である。【００７６】
（変形例）
５つのＬＥＤ１１ａ〜１１ｅの発光比率を求める別の方法として、各ＬＥＤ１１ａ〜１１ｅの発光スペクトルが既知である場合には、以下に示すより簡便な方法を採ることが可能である。【００７７】
例えば、５つのＬＥＤ１１ａ〜１１ｅの発光主波長をそれぞれα，β，γ，δ，ε[ｎｍ]とすると、等色関数ｘ（λ）に相当するＬＥＤ１１ａ〜１１ｅの混合比率をｘ（α）：ｘ（β）：ｘ（γ）：ｘ（δ）：ｘ（ε）に設定し、等色関数ｙ（λ）に相当するＬＥＤ１１ａ〜１１ｅの混合比率をｙ（α）：y（β）：ｙ（γ）：ｙ（δ）：ｙ（ε）に設定し、等色関数ｚ（λ）に相当するＬＥＤ１１ａ〜１１ｅの混合比率をｚ（α）：ｚ（β）：ｚ（γ）：ｚ（δ）：ｚ（ε）に設定する。これにより、５つのＬＥＤ１１ａ〜１１ｅの発光スペクトルを合成することにより、等色関数ｘ（λ），ｙ（λ），ｚ（λ）を略近似することができる。【００７８】
そして、これらの情報を図４に示した点灯条件レジスタ２３ａに格納し、パルス発生器２３ｂから、各色のＬＥＤ１１ａ〜１１ｅを点灯及び消灯するための駆動信号φＬａ〜φＬｅを点灯回路２３ｃに供給する。これにより、等色関数ｘ（λ），ｙ（λ），ｚ（λ）に応じた３種類の照明光を得ることができる。点灯回路２３ｃは、各ＬＥＤ１１ａ〜１１ｅを点灯させるための所定の電源と、パルス発生器２３ｂに同期して動作するスイッチング回路（トランジスタ）とを用いて構成され、駆動信号φＬａ〜φＬｅがオンとなる期間に亘ってＬＥＤ１１ａ〜１１ｅを点灯させるようにする。【００７９】
一般に、原稿用紙７で使用されている色素や顔料の分光反射率特性は、波長軸において比較的なだらかなスペクトル曲線であり、その波長に対する変化量は少ないので、前述した離散的な近似であっても実用上十分な測色性能が得られる。【００８０】
図６は、本実施の形態１の画像読取装置をシミュレーションすることにより得られた測色精度を表すｘ−ｙ色度図である。【００８１】
図６において、白丸は、ＩＴ８ターゲットのＸＹＺ３刺激値であり、黒丸は、本実施の形態１の画像読取装置のイメージセンサユニット１０の出力である３刺激値である。図６に示すｘ−ｙ色度図は、図１５に示したｘ−ｙ色度図に比べ、どの色系列に関しても誤差が縮小していることが分かる。図６に示すｘ−ｙ色度図から得られた平均色差ΔＥは約２に低減しており、肉眼でその色差を認識することはできなかった。【００８２】
尚、前述のとおり一般に原稿用紙７に使用されている色素や顔料の分光反射率の波長特性は変化が少ないので、５〜６色で実用上十分な測色精度が得られる。このため本実施の形態１では５つの発光素子をもつ場合について説明した。しかしながら、本実施の形態１の効果は、光源を構成するＬＥＤの色数が多いほど好ましく、何色のＬＥＤ（発光素子）を用いるかを任意に決めることができる。即ち、色数を増やすほど測色精度は向上する一方で、色数を増やしても、従来の色数分の光源を切り替える方式に比べて、読み取り速度やメモリなどのシステムリソースは増えない。【００８３】
［実施の形態２］
次に本発明の実施の形態２を説明する。なお、この実施の形態２は、前述した実施の形態１と、各ＬＥＤ１１ａ〜１１ｅを点灯させるタイミングが異なるだけである。したがって、以下の実施の形態２の説明において、従来の画像読取装置及び実施の形態１の画像読取装置６と同一の部分については、図１〜図６、図８〜図１９に付した符号と同一の符号を付して、詳細な説明を省略する。【００８４】
イメージセンサユニット１０を構成するセンサアレイ１５は、１動作サイクル中に光キャリアを積分して出力するため、センサアレイ１５の光電変換機能は、各画像信号の積分期間ＴＳ１，ＴＳ２，ＴＳ３内のいずれの時間においてなされても良い。例えば、光源１１の点灯時間を時分割しても良い。【００８５】
図７は、本実施の形態２において、光源１１の点灯時間を時分割した場合のイメージセンサユニット１０の駆動動作の一例を説明するタイミングチャートである。【００８６】
図７に示すように、この実施の形態２の特徴は、画像信号の各積分期間ＴＳ１，ＴＳ２，ＴＳ３内の各ＬＥＤ１１ａ〜１１ｅを点灯させるタイミングが重ならないようにしていることである。この方法の利点は、各ＬＥＤ１１ａ〜１１ｅに供給される駆動電流が時間的に分散されことによって、各ＬＥＤ１１ａ〜１１ｅに流れる瞬時電流が低減し、電源回路に対する負荷が軽減されることである。【００８７】
また、各ＬＥＤ１１ａ〜１１ｅを点灯させるタイミングが時系列になるために、１色のＬＥＤ１１ａ〜１１ｅの消灯タイミングに同期させて次のＬＥＤ１１ａ〜１１ｅを点灯させることができ、制御回路の構成をより簡素化することができる。但し、この方法は、各色のＬＥＤ１１ａ〜１１ｅを点灯させるタイミングを別々にとるため、積分期間ＴＳ１，ＴＳ２，ＴＳ３は、前述した実施の形態１に比べて長くなる。また１走査期間における画像情報の蓄積期間ＴＣも長くなり易くなるやすいという欠点を内在している。【００８８】
［本発明の他の実施の形態］
上述した実施の形態の機能を実現するべく各種のデバイスを動作させるように、該各種デバイスと接続された装置或はシステム内のコンピュータに対し、前記実施の形態の機能を実現するためのソフトウェアのプログラムコードを供給し、そのシステム或は装置のコンピュータ（ＣＰＵ或はＭＰＵ）に格納されたプログラムに従って前記各種デバイスを動作させることによって実施したものも、本発明の範疇に含まれる。【００８９】
また、この場合、前記ソフトウェアのプログラムコード自体が上述した実施の形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。【００９０】
また、コンピュータが供給されたプログラムコードを実行することにより、上述の実施の形態の機能が実現されるだけでなく、そのプログラムコードがコンピュータにおいて稼働しているＯＳ（オペレーティングシステム）或は他のアプリケーションソフト等と共同して上述の実施の形態の機能が実現される場合にもかかるプログラムコードは本発明の実施の形態に含まれることは言うまでもない。【００９１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれることは言うまでもない。
【産業上の利用可能性】
【００９２】
本発明の画像読取装置は、例えば原稿の読取装置に応用可能であり、更にはスキャナやカラーファクシミリ、或いは複写機、更にはこれらの複合機にも利用可能である。またカラー複写機の画像入力部にも利用できる。【００９３】
本願発明は上記実施の形態に限定されるものでなく、また本願発明の趣旨を逸脱しない範囲で種々の変更や修正が可能であるため、本願発明の範囲は以下の請求の範囲によって規定されるべきである。
【優先権の主張】
【００９４】
本願は、２００４年７月２９日提出の日本国特許出願特願２００４−２２１２５９及び２００５年６月７日提出の日本国特許出願特願２００５−１６７４６４を基礎として優先権を主張するものであり、その記載内容の全てを、ここに援用する。
【図１】
2006011450.tif 000002
【図２】
2006011450.tif 000003
【図３】
2006011450.tif 000004
【図４】
2006011450.tif 000005
【図５Ａ】
2006011450.tif 000006
【図５Ｂ】
2006011450.tif 000007
【図５Ｃ】
2006011450.tif 000008
【図６】
2006011450.tif 000009
【図７】
2006011450.tif 000010
【図８】
2006011450.tif 000011
【図９】
2006011450.tif 000012
【図１０】
2006011450.tif 000013
【図１１】
2006011450.tif 000014
【図１２】
2006011450.tif 000015
【図１３】
2006011450.tif 000016
【図１４】
2006011450.tif 000017
【図１５】
2006011450.tif 000018
【図１６】
2006011450.tif 000019
【図１７】
2006011450.tif 000020
【図１８】
2006011450.tif 000021
【図１９】
2006011450.tif 000022
【手続補正書】
【提出日】平成18年5月26日(2006.5.26)
【手続補正１】
【補正対象書類名】特許請求の範囲
【補正対象項目名】全文
【補正方法】変更
【補正の内容】
【書類名】請求の範囲
【請求項１】互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記４つ以上の発光素子の全て又は一部を発光させて、少なくとも１つの蓄積期間内においてその発光させた光の相対的な発光量の比率を３種類の等色関数のうちの１つの曲線に近似させるようにし、
前記主走査方向における蓄積期間の回数は３回以上で、前記発光素子の数未満の回数であることを特徴とする画像読取装置。
【請求項２】前記発光制御手段は、前記複数回の蓄積期間のそれぞれで、前記４つ以上の発光素子の全て又は一部の発光タイミングをずらして発光駆動することを特徴とする請求項１に記載の画像読取装置。
【請求項３】前記光電変換手段は光電変換センサを有し、
前記発光素子のそれぞれの発光期間は、所定の発光期間に対する、前記光電変換センサにより検出される白色基準板からの反射光強度と目標最大反射光強度との比率に基づいて決定される最大点灯時間と、等色関数を近似するための係数とに基づいて決定されることを特徴とする請求項１に記載の画像読取装置。
【請求項４】前記発光制御手段は、少なくとも１つの蓄積期間内において、前記発光素子を発光させた光の相対的な発光量の比率が、ＣＩＥ等色関数の３種類のスペクトル曲線に近似するように前記発光素子のそれぞれの発光期間及び発光強度の少なくとも何れか一方を制御して発光駆動することを特徴とする請求項１に記載の画像読取装置。
【請求項５】前記発光制御手段は、
前記４つ以上の発光素子のそれぞれの発光条件を記憶するメモリと、
前記メモリに記憶された発光条件に従って、前記４つ以上の発光素子のそれぞれを発光駆動する点灯回路と、
を有することを特徴とする請求項１に記載の画像読取装置。
【請求項６】（削除）
【請求項７】前記発光素子の位置と、前記原稿の位置とを相対的に変化させる変位手段を更に有することを特徴とする請求項１に記載の画像読取装置。
【請求項８】互いに異なる発光スペクトルを有する４つ以上の発光素子により照射された原稿からの反射光を読取って画像信号を生成する画像読取装置であって、
前記４つ以上の発光素子の全て又は一部の発光期間及び発光強度の少なくとも何れか一方を制御して、主走査方向に連続する複数回の蓄積期間ごとに異なる条件で発光駆動する発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記４つ以上の発光素子の全て又は一部を発光させて、少なくとも１つの蓄積期間内においてその発光させた光の相対的な発光量の比率を３種類の等色関数のうちの１つの曲線に近似させるようにし、
前記主走査方向における蓄積期間の回数は３回以上で、前記発光素子の数未満の回数であることを特徴とする画像読取装置。
【請求項９】互いに異なる発光スペクトルを有する４つ以上の発光素子により照射された原稿からの反射光を読取って画像信号を生成する画像読取装置の制御方法であって、
前記４つ以上の発光素子の発光期間及び発光強度の少なくとも何れか一方を制御して、１つの蓄積期間内において前記発光素子の全て又は一部を同時又は異なる期間に発光させる制御工程と、
前記制御工程による制御に従って前記４つ以上の発光素子から原稿に向けて光が発せられることにより得られる前記原稿からの反射光を受光して光電変換する光電変換工程と、
前記光電変換工程で光電変換された電気信号に基づいて、前記原稿の画像情報を読み取る読み取り工程とを有し、
前記光電変換工程は、主走査方向における複数回の蓄積期間のそれぞれにおいて前記原稿からの反射光を受光し、前記制御工程は、前記主走査方向における複数回の蓄積期間毎に異なる条件で前記４つ以上の発光素子の全て又は一部を発光させて、少なくとも１つの蓄積期間内においてその発光させた光の相対的な発光量の比率を３種類の等色関数のうちの１つの曲線に近似させるようにし、
前記主走査方向における蓄積期間の回数は３回以上で、前記発光素子の数未満の回数であることを特徴とする画像読取装置の制御方法。
【手続補正２】
【補正対象書類名】明細書
【補正対象項目名】０００５
【補正方法】変更
【補正の内容】
【０００５】
との色空間が１対１に固定されていれば、それぞれの色空間を接続する１つの色空間変換器があればよいが、入力された画像データの用途は様々であり、一般には出力先を固定できない。
［００２２］
このため、画像入力機器は、画像入力機器に固有の色空間にある画像データを、デバイスに依存しない共通の標準色空間に変換して出力する。そして、画像出力機器における画像データの再現時には、その標準色空間にある画像データを、その画像出力機器に固有の色空間に変換するようにしている。こうした変換先の標凖色空間として、ＣＩＥＸＹＺ，ＣＩＥＬＡＢ等の色空間が使用される。
［００２３］
前述した色空間変換器３９に含まれる３×３の補正行列Ｍの係数は、例えば３刺激値が既知であるＮ枚の色票に対するセンサ信号により計算される。具体的に、補正行列Ｍは、Ｎ色のターゲットの３刺激値行列をＴＮ、Ｎ色のターゲットに対するセンサ出力行列をＵＮとすると、ＴＮとＴ´Ｎ（＝ＭＵＮ）の平均二乗誤差が最小となるように、以下の式（７）によって求められる。
［００２４］
Ｍ＝［ＴＮＵＮｔ］［ＵＮＵＮｔ］−１    式（７）
ここで３刺激値行列ＴＮは、
2006011450.tif 000023
である。
こうした色校正に用いる標準色票としてはＩＳＯ／ＤＩＳ  １２６４１  ＩＴ８色票が知られている。
【特許文献１】  特開昭６１−１４８９５９号公報
【特許文献２】  特開平０８−２７５００６号公報
【特許文献３】  特開平１１−２４３４９２号公報
【発明の開示】
【発明が解決しようとする課題】
［００２５］
しかしながら、前述した従来の技術では、以下のような課題があった。
［００２６］
画像読取装置の測色誤差を小さくするためには、使用されるイメージセンサユニット１がルータ条件として知られている条件を満たす必要がある。即ち、標準色空間を構成する等色関数に対し、センサの総合分光感度が線形結合である必要がある。
［００２７］
一方、従来のセンサアレイでは、光源４１にＬＥＤ４１ｒ，４１ｇ，４１ｂを使用しており、色分解はそれらの点灯の切り替えにより行われる。このため、総合分光感度は、ほぼＬＥＤ４１ｒ，４１ｇ，４１ｂの発光スペクトルで決定される。
５／１
【手続補正３】
【補正対象書類名】明細書
【補正対象項目名】０００８
【補正方法】変更
【補正の内容】
【０００８】
［００３８］
本発明は上記問題点に鑑みてなされたもので、本願発明の特徴は、上記従来例の欠点を解決することにある。
［００３９］
本発明は、原稿の読み取りを行うに際し、読み取り時間の増大やメモリ容量の増大を抑えつつ、測色誤差を可及的に小さくするようにすることを目的とする。
【課題を解決するための手段】
［００４０］
本発明の一態様に係る画像読取装置は、以下のような構成を備える。即ち、
互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、主走査方向における複数回の蓄積期間のそれぞれにおいて前記原稿からの反射光を受光し、
前記発光制御手段は、前記主走査方向における複数回の蓄積期間毎に異なる条件で前記４つ以上の発光素子の全て又は一部を発光させて、少なくとも１つの蓄積期間内においてその発光させた光の相対的な発光量の比率を３種類の等色関数のうちの１つの曲線に近似させるようにし、
前記主走査方向における蓄積期間の回数は３回以上で、前記発光素子の数未満の回数であることを特徴とする。
【発明の効果】
［００４１］
本発明によれば、原稿の読取りを行うのに際し、読取り時間の増大やメモリ容量の増大を抑えつつ、測色誤差を小さくできるという効果がある
本願発明の他の特徴や目的及び利点は、以下に添付図面を参照してなされる説明より明らかになるであろう。尚、添付図面では、図面を通して共通する部分は同じ記号で示している。
８／１
【手続補正４】
【補正対象書類名】明細書
【補正対象項目名】００１３
【補正方法】変更
【補正の内容】
【００１３】
の比率が、ＣＩＥＸＹＺ等の標準色空間で表される３種類の等色関数に近似した強度比を持つように決められる。
［００５５］
その手法を以下に示す。まず、各ＬＥＤ１１ａ〜１１ｅの発光量をセンサ１５の分光感度で規格化する。本実施の形態１に係る画像読取装置６において、制御ユニット３０は変位ユニット２を駆動し、イメージセンサユニット１０を原稿支持ガラス４に設置された白基準板５の位置まで移動させる。この白基準板５の色は、分光反射率がフラットなニュートラル色が望ましい。
［００５６］
次に、５つのＬＥＤ１１ａ〜１１ｅを、それぞれ独立に点灯させて白基準板５を照明し、センサ１５の出力が所定の値になるまでの点灯時間ＴＬＷｎを求める手法を以下に説明する。尚、本実施の形態では、５つのＬＥＤ１１ａ〜１１ｅを光源として用いており、５つのＬＥＤ１１ａ〜１１ｅの点灯時間ＴＬＷｎを、それぞれＴＬＷａ，ＴＬＷｂ，ＴＬＷｃ，ＴＬＷｄ，ＴＬＷｅとする。
［００５７］
図４に示した光源コントローラ２３において、点灯条件レジスタ２３ａに所定の点灯期間ＴＤを設定し各ＬＥＤを点灯させる。そして各ＬＥＤからの光が白基準板５から反射された反射光を読み取る。このときイメージセンサユニット１０の各色のライン出力の最大値をそれぞれＶａ１，Ｖｂ１，Ｖｃ１，Ｖｄ１，Ｖｅ１とし、目標とするライン出力の最大値をＶＨとすると、各色のＬＥＤ１１ａ〜１１ｅによる白基準板５の点灯期間ＴＬＷａ〜ＴＬＷｅは、それぞれ以下の（８式）〜（１２式）で求めることができる。
［００５８］
ＴＬＷａ＝ＴＤ×ＶＨ／Ｖａ１    ．．．式（８）
ＴＬＷｂ＝ＴＤ×ＶＨ／Ｖｂ１    ．．．式（９）
ＴＬＷｃ＝ＴＤ×ＶＨ／Ｖｃ１    ．．．式（１０）
ＴＬＷｄ＝ＴＤ×ＶＨ／Ｖｄ１    ．．．式（１１）
ＴＬＷｅ＝ＴＤ×ＶＨ／Ｖｅ１    ．．．式（１２）
また、３種類の点灯パターンの等色関数を近似するために、５個のＬＥＤ１１ａ〜１１ｅの発光比率を求めるに際し、図１８に示した色空間変換器で使用される３×５の補正行列Ｍの係数（ａ１１，ａ１２，．．．，ａ３４，ａ３５）を使用することが可能である。例えば、５色のＬＥＤ１１ａ〜１１ｅを１つずつ順次点灯させて行なわれる５回の光
１３
【手続補正５】
【補正対象書類名】明細書
【補正対象項目名】００１４
【補正方法】変更
【補正の内容】
【００１４】
源切り替え動作により、３刺激値が既知であるＮ枚の色票を読み取り、読み取った各色票に対するセンサ信号より補正行列Ｍを計算できる。
［００５９］
Ｎ色のターゲットの３刺激値行列をＴＮ、Ｎ色のターゲットに対する５色のセンサ出力行列をＵＮとすると、補正行列Ｍは、ＴＮとＴ´Ｎ（＝ＭＵＮ）の平均二乗誤差が最小となるように、以下の（１３式）によって求められる。
［００６０］
Ｍ＝［ＴＮＵＮｔ］［ＵＮＵＮｔ］−１  ．．．式（１３）
このとき、図１８の補正行列Ｍの係数ａ１１，ａ１２，．．．，ａ３５と、前述した各ＬＥＤ１１ａ〜１１ｅの白基準板５に対する点灯期間ＴＬＷａ〜ＴＬＷｅとに基づいて、図４に示す光源コントローラ２３の点灯条件レジスタ２３ａに設定される各ＬＥＤ１１ａ〜１１ｅの点灯条件レジスタ値ＴＬＸａ〜ＴＬＺｅは、以下の式（１４）〜式（２８）で計算される。
［００６１］
ＴＬＸａ＝ＴＬＷａ×ａ１１    ．．．式（１４）
ＴＬＹａ＝ＴＬＷａ×ａ２１    ．．．式（１５）
ＴＬＺａ＝ＴＬＷａ×ａ３１    ．．．式（１６）
ＴＬＸｂ＝ＴＬＷｂ×ａ１２    ．．．式（１７）
ＴＬＹｂ＝ＴＬＷｂ×ａ２２    ．．．式（１８）
ＴＬＺｂ＝ＴＬＷｂ×ａ３２    ．．．式（１９）
ＴＬＸｃ＝ＴＬＷｃ×ａ１３    ．．．式（２０）
ＴＬＹｃ＝ＴＬＷｃ×ａ２３    ．．．式（２１）
ＴＬＺｃ＝ＴＬＷｃ×ａ３３    ．．．式（２２）
ＴＬＸｄ＝ＴＬＷｄ×ａ１４    ．．．式（２３）
ＴＬＹｄ＝ＴＬＷｄ×ａ２４    ．．．式（２４）
ＴＬＺｄ＝ＴＬＷｄ×ａ３４    ．．．式（２５）
ＴＬＸｅ＝ＴＬＷｅ×ａ１５    ．．．式（２６）
ＴＬＹｅ＝ＴＬＷｅ×ａ２５    ．．．式（２７）
ＴＬＺｅ＝ＴＬＷｅ×ａ３５    ．．．式（２８）
即ち、従来の技術では、３×５の補正行列Ｍによる色空間変換処理を、センサアレイ１５から出力された画像信号の処理回路の後段で行っていた。これに対し本実施の形態１では、多色の光源（ＬＥＤ１１ａ〜１１ｅ）の駆動によって、光源側で３種類の等色関数に近似した照明光をそれぞれ作成する。これによりスキャナなどの信号処理回
１４／１
【手続補正６】
【補正対象書類名】図面
【補正対象項目名】図１４
【補正方法】変更
【補正の内容】
【図１４】
2006011450.tif 000024
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の数は３以上で、前記発光素子の数未満であることを特徴とする画像読取装置。
【請求項２】
前記発光制御手段は、前記複数回の蓄積期間のそれぞれで、前記４つ以上の発光素子の全て又は一部の発光タイミングをずらして発光駆動することを特徴とする請求項１に記載の画像読取装置。
【請求項３】
前記光電変換手段は光電変換センサを有し、
前記発光素子のそれぞれの発光期間は、所定の発光期間に対する、前記光電変換センサにより検出される白色基準板からの反射光強度と目標最大反射光強度との比率に基づいて決定される最大点灯時間と、等色関数を近似するための係数とに基づいて決定されることを特徴とする請求項１に記載の画像読取装置。
【請求項４】
前記発光制御手段は、少なくとも１つの蓄積期間内において、前記発光素子のそれぞれの発光期間及び発光強度の少なくとも何れか一方を制御して前記発光素子を発光させた光の相対光量がＣＩＥ等色関数の３種類のスペクトル曲線に近似した相対光量となるように発光駆動することを特徴とする請求項１に記載の画像読取装置。
【請求項５】
前記発光制御手段は、
前記４つ以上の発光素子のそれぞれの発光条件を記憶するメモリと、
前記メモリに記憶された発光条件に従って、前記３４つ以上の発光素子のそれぞれを発光駆動する点灯回路と、
を有することを特徴とする請求項１に記載の画像読取装置。
【請求項６】
前記３種類の等色関数に近似させるための前記発光素子のそれぞれの点灯条件を記憶するレジスタを更に有し、
前記発光制御手段は、前記レジスタに記憶された前記点灯条件に従って、前記発光素子の発光制御を行うことを特徴とする請求項１に記載の画像読取装置。
【請求項７】
前記発光素子の位置と、前記原稿の位置とを相対的に変化させる変位手段を更に有することを特徴とする請求項１に記載の画像読取装置。
【請求項８】
互いに異なる発光スペクトルを有する４つ以上の発光素子により照射された原稿からの反射光を読取って画像信号を生成する画像読取装置であって、
前記４つ以上の発光素子の全て又は一部の発光期間及び発光強度の少なくとも何れか一方を制御して、複数回の蓄積期間ごとに異なる発光期間或は発光強度で発光駆動する発光制御手段と、
前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、前記複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の回数は３回以上で、前記発光素子の数未満の回数であることを特徴とする画像読取装置。
【請求項９】
互いに異なる発光スペクトルを有する４つ以上の発光素子により照射された原稿からの反射光を読取って画像信号を生成する画像読取装置の制御方法であって、
前記４つ以上の発光素子の発光期間及び発光強度の少なくとも何れか一方を制御して、１つの蓄積期間内において前記発光素子の全て又は一部を同時又は異なる期間に発光させる制御工程と、
前記制御工程による制御に従って前記４つ以上の発光素子から前記原稿に向けて光が発せられることにより得られる前記原稿からの反射光を受光して光電変換する光電変換工程と、
前記光電変換工程で光電変換された電気信号に基づいて、前記原稿の画像情報を読み取る読み取り工程とを有し、
前記光電変換工程は、複数回の蓄積期間のそれぞれにおいて前記原稿からの反射光を受光し、前記制御工程は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の回数は３回以上で、前記複数の発光素子の数未満の回数であることを特徴とする画像読取装置の制御方法。
【手続補正２】
【補正対象書類名】明細書
【補正対象項目名】００４０
【補正方法】変更
【補正の内容】
【００４０】
本発明の一態様に係る画像読取装置は、以下のような構成を備える。即ち、
互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の数は３以上で、前記発光素子の数未満であることを特徴とする。
【手続補正３】
【補正対象書類名】明細書
【補正対象項目名】００９４
【補正方法】削除
【補正の内容】
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の数は３以上で、前記発光素子の数未満であることを特徴とする画像読取装置。
【請求項２】
前記発光制御手段は、前記複数回の蓄積期間のそれぞれで、前記４つ以上の発光素子の全て又は一部の発光タイミングをずらして発光駆動することを特徴とする請求項１に記載の画像読取装置。
【請求項３】
前記光電変換手段は光電変換センサを有し、
前記発光素子のそれぞれの発光期間は、所定の発光期間に対する、前記光電変換センサにより検出される白色基準板からの反射光強度と目標最大反射光強度との比率に基づいて決定される最大点灯時間と、等色関数を近似するための係数とに基づいて決定されることを特徴とする請求項１に記載の画像読取装置。
【請求項４】
前記発光制御手段は、少なくとも１つの蓄積期間内において、前記発光素子のそれぞれの発光期間及び発光強度の少なくとも何れか一方を制御して前記発光素子を発光させた光の相対光量がＣＩＥ等色関数の３種類のスペクトル曲線に近似した相対光量となるように発光駆動することを特徴とする請求項１に記載の画像読取装置。
【請求項５】
前記発光制御手段は、
前記４つ以上の発光素子のそれぞれの発光条件を記憶するメモリと、
前記メモリに記憶された発光条件に従って、前記４つ以上の発光素子のそれぞれを発光駆動する点灯回路と、
を有することを特徴とする請求項１に記載の画像読取装置。
【請求項６】
前記３種類の等色関数に近似させるための前記発光素子のそれぞれの点灯条件を記憶するレジスタを更に有し、
前記発光制御手段は、前記レジスタに記憶された前記点灯条件に従って、前記発光素子の発光制御を行うことを特徴とする請求項１に記載の画像読取装置。
【請求項７】
前記発光素子の位置と、前記原稿の位置とを相対的に変化させる変位手段を更に有することを特徴とする請求項１に記載の画像読取装置。
【請求項８】
互いに異なる発光スペクトルを有する４つ以上の発光素子により照射された原稿からの反射光を読取って画像信号を生成する画像読取装置であって、
前記４つ以上の発光素子の全て又は一部の発光期間及び発光強度の少なくとも何れか一方を制御して、複数回の蓄積期間ごとに異なる発光期間或は発光強度で発光駆動する発光制御手段と、
前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、前記複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の回数は３回以上で、前記発光素子の数未満の回数であることを特徴とする画像読取装置。
【請求項９】
互いに異なる発光スペクトルを有する４つ以上の発光素子により照射された原稿からの反射光を読取って画像信号を生成する画像読取装置の制御方法であって、
前記４つ以上の発光素子の発光期間及び発光強度の少なくとも何れか一方を制御して、１つの蓄積期間内において前記発光素子の全て又は一部を同時又は異なる期間に発光させる制御工程と、
前記制御工程による制御に従って前記４つ以上の発光素子から前記原稿に向けて光が発せられることにより得られる前記原稿からの反射光を受光して光電変換する光電変換工程と、
前記光電変換工程で光電変換された電気信号に基づいて、前記原稿の画像情報を読み取る読み取り工程とを有し、
前記光電変換工程は、複数回の蓄積期間のそれぞれにおいて前記原稿からの反射光を受光し、前記制御工程は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の回数は３回以上で、前記複数の発光素子の数未満の回数であることを特徴とする画像読取装置の制御方法。
【手続補正２】
【補正対象書類名】明細書
【補正対象項目名】００４０
【補正方法】変更
【補正の内容】
【００４０】
本発明の一態様に係る画像読取装置は、以下のような構成を備える。即ち、
互いに異なる発光スペクトルを有する４つ以上の発光素子と、
前記４つ以上の発光素子の発光期間及び発光強度の少なくとも何れか一方を制御して、１つの蓄積期間内において前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、複数回の蓄積期間のそれぞれにおいて前記原稿からの反射光を受光し、
前記発光制御手段は、前記複数回の蓄積期間毎に異なる発光期間或は発光強度で前記４つ以上の発光素子の全て又は一部を発光させて、少なくとも１つの蓄積期間内において発光させる光の相対光量を３種類の等色関数のうちの１つの曲線に近似した相対光量で点灯させ、
前記蓄積期間の数は３以上で、前記発光素子の数未満であることを特徴とする。
【手続補正３】
【補正対象書類名】明細書
【補正対象項目名】００９４
【補正方法】削除
【補正の内容】
【手続補正書】
【提出日】平成18年12月16日(2006.12.16)
【手続補正１】
【補正対象書類名】特許請求の範囲
【補正対象項目名】全文
【補正方法】変更
【補正の内容】
【特許請求の範囲】
【請求項１】
互いに異なる発光スペクトルを有する４つ以上の発光素子と、
前記４つ以上の発光素子の発光期間及び発光強度の少なくとも何れか一方を制御して、原稿の一走査線上の画像情報を読み取って蓄積する３回の蓄積期間のそれぞれにおいて前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、３回の蓄積期間のそれぞれにおいて前記原稿からの反射光を受光し、
前記発光制御手段は、前記３回の蓄積期間のそれぞれ毎に異なる発光期間或は発光強度で前記４つ以上の発光素子の全て又は一部を発光させて、前記３回の蓄積期間の少なくとも１つの蓄積期間内において発光させる光の相対光量を３種類の等色関数のうちの１つの曲線に近似した相対光量で発光させることを特徴とする画像読取装置。
【請求項２】
前記発光制御手段は、前記３回の蓄積期間のそれぞれで、前記４つ以上の発光素子の全て又は一部の発光タイミングをずらして発光駆動することを特徴とする請求項１に記載の画像読取装置。
【請求項３】
前記光電変換手段は光電変換センサを有し、
前記発光素子のそれぞれの発光期間は、所定の発光期間に対する、前記光電変換センサにより検出される白色基準板からの反射光強度と目標最大反射光強度との比率に基づいて決定される最大発光時間と、等色関数を近似するための係数とに基づいて決定されることを特徴とする請求項１に記載の画像読取装置。
【請求項４】
前記発光制御手段は、前記少なくとも１つの蓄積期間内において、前記発光素子のそれぞれの発光期間及び発光強度の少なくとも何れか一方を制御して前記発光素子を発光させた光の相対光量がＣＩＥ等色関数の３種類のスペクトル曲線に近似した相対光量となるように発光駆動することを特徴とする請求項１に記載の画像読取装置。
【請求項５】
前記発光制御手段は、
前記４つ以上の発光素子のそれぞれの発光期間或は発光強度を記憶するメモリと、
前記メモリに記憶された前記発光期間或は発光強度に従って、前記４つ以上の発光素子のそれぞれを発光駆動する点灯回路と、
を有することを特徴とする請求項１に記載の画像読取装置。
【請求項６】
前記３種類の等色関数に近似させるための前記発光素子のそれぞれの発光期間或は発光強度を記憶するレジスタを更に有し、
前記発光制御手段は、前記レジスタに記憶された前記発光期間或は発光強度に従って、前記発光素子の発光制御を行うことを特徴とする請求項１に記載の画像読取装置。
【請求項７】
前記４つ以上の発光素子の位置と、前記原稿の位置とを相対的に変化させる変位手段を更に有することを特徴とする請求項１に記載の画像読取装置。
【請求項８】
互いに異なる発光スペクトルを有する４つ以上の発光素子により照射された原稿からの反射光を読取って画像信号を生成する画像読取装置であって、
前記４つ以上の発光素子の全て又は一部の発光期間及び発光強度の少なくとも何れか一方を制御して、原稿の一走査線上の画像情報を読み取って蓄積する３回の蓄積期間のそれぞれごとに異なる発光期間或は発光強度で発光駆動する発光制御手段と、
前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、前記３回の蓄積期間のそれぞれにおいて前記原稿からの反射光を受光し、
前記発光制御手段は、前記３回の蓄積期間のそれぞれ毎に異なる発光期間或は発光強度で前記４つ以上の発光素子の全て又は一部を発光させて、前記３回の蓄積期間の少なくとも１つの蓄積期間内において発光させる光の相対光量を３種類の等色関数のうちの１つの曲線に近似した相対光量で発光させることを特徴とする画像読取装置。
【請求項９】
互いに異なる発光スペクトルを有する４つ以上の発光素子により照射された原稿からの反射光を読取って画像信号を生成する画像読取装置の制御方法であって、
前記４つ以上の発光素子の発光期間及び発光強度の少なくとも何れか一方を制御して、原稿の一走査線上の画像情報を読み取って蓄積する３回の蓄積期間のそれぞれにおいて前記発光素子の全て又は一部を同時又は異なる期間に発光させる制御工程と、
前記制御工程による制御に従って前記４つ以上の発光素子から前記原稿に向けて光が発せられることにより得られる前記原稿からの反射光を受光して光電変換する光電変換工程と、
前記光電変換工程で光電変換された電気信号に基づいて、前記原稿の画像情報を読み取る読み取り工程とを有し、
前記光電変換工程は、前記３回の蓄積期間のそれぞれにおいて前記原稿からの反射光を受光し、前記制御工程は、前記複数回の蓄積期間のそれぞれ毎に異なる発光期間或は発光強度で前記４つ以上の発光素子の全て又は一部を発光させて、前記３回の蓄積期間の少なくとも１つの蓄積期間内において発光させる光の相対光量を３種類の等色関数のうちの１つの曲線に近似した相対光量で発光させることを特徴とする画像読取装置の制御方法。
【手続補正２】
【補正対象書類名】明細書
【補正対象項目名】００４０
【補正方法】変更
【補正の内容】
【００４０】
本発明の一態様に係る画像読取装置は、以下のような構成を備える。即ち、
互いに異なる発光スペクトルを有する４つ以上の発光素子と、
前記４つ以上の発光素子の発光期間及び発光強度の少なくとも何れか一方を制御して、原稿の一走査線上の画像情報を読み取って蓄積する３回の蓄積期間のそれぞれにおいて前記発光素子の全て又は一部を同時又は異なる期間に発光させる発光制御手段と、
前記発光制御手段による制御に従って前記４つ以上の発光素子から原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、３回の蓄積期間のそれぞれにおいて前記原稿からの反射光を受光し、
前記発光制御手段は、前記３回の蓄積期間のそれぞれ毎に異なる発光期間或は発光強度で前記４つ以上の発光素子の全て又は一部を発光させて、前記３回の蓄積期間の少なくとも１つの蓄積期間内において発光させる光の相対光量を３種類の等色関数のうちの１つの曲線に近似した相対光量で発光させることを特徴とする。
【手続補正書】
【提出日】平成18年12月17日(2006.12.17)
【手続補正１】
【補正対象書類名】特許請求の範囲
【補正対象項目名】全文
【補正方法】変更
【補正の内容】
【特許請求の範囲】
【請求項１】
互いに異なる発光スペクトルを有する４つ以上の発光素子と、
前記４つ以上の発光素子の発光期間を制御して、原稿の一走査線上の画像情報を読み取って蓄積する３回の蓄積期間のそれぞれにおいて前記発光素子の全て又は一部を同時又は異なる期間に発光させる発光制御手段と、
光電変換センサを有し、前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、３回の蓄積期間のそれぞれにおいて前記原稿からの反射光を受光し、
前記発光制御手段は、前記３回の蓄積期間のそれぞれ毎に、所定の発光期間に対する、前記光電変換センサにより検出される白色基準板からの反射光強度と目標最大反射光強度との比率に基づいて決定される最大発光時間と、ＣＩＥＸＹＺ等色関数を近似するための係数とに基づいて決定される発光期間で前記４つ以上の発光素子の全て又は一部を発光させて、前記３回の蓄積期間の少なくとも１つの蓄積期間内において発光させる光の相対光量がＣＩＥＸＹＺ等色関数の３種類のスペクトル曲線のうちの１つの曲線に近似した相対光量となるように発光させることを特徴とする画像読取装置。
【請求項２】
前記発光制御手段は、前記３回の蓄積期間のそれぞれで、前記４つ以上の発光素子の全て又は一部の発光タイミングをずらして発光駆動することを特徴とする請求項１に記載の画像読取装置。
【請求項３】
前記発光制御手段は、
前記４つ以上の発光素子のそれぞれの発光期間を記憶するメモリと、
前記メモリに記憶された前記発光期間に従って、前記４つ以上の発光素子のそれぞれを発光駆動する点灯回路と、
を有することを特徴とする請求項１に記載の画像読取装置。
【請求項４】
前記ＣＩＥＸＹＺ等色関数の３種類のスペクトル曲線に近似させるための前記発光素子のそれぞれの発光期間を記憶するレジスタを更に有し、
前記発光制御手段は、前記レジスタに記憶された前記発光期間に従って、前記発光素子の発光制御を行うことを特徴とする請求項１に記載の画像読取装置。
【請求項５】
前記４つ以上の発光素子の位置と、前記原稿の位置とを相対的に変化させる変位手段を更に有することを特徴とする請求項１に記載の画像読取装置。
【請求項６】
互いに異なる発光スペクトルを有する４つ以上の発光素子により照射された原稿からの反射光を読取って画像信号を生成する画像読取装置であって、
前記４つ以上の発光素子の全て又は一部の発光期間を制御して、原稿の一走査線上の画像情報を読み取って蓄積する３回の蓄積期間のそれぞれごとに異なる発光期間で発光駆動する発光制御手段と、
光電変換センサを有し、前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、前記３回の蓄積期間のそれぞれにおいて前記原稿からの反射光を受光し、
前記発光制御手段は、前記３回の蓄積期間のそれぞれ毎に、所定の発光期間に対する、前記光電変換センサにより検出される白色基準板からの反射光強度と目標最大反射光強度との比率に基づいて決定される最大発光時間と、ＣＩＥＸＹＺ等色関数を近似するための係数とに基づいて決定される発光期間で前記４つ以上の発光素子の全て又は一部を発光させて、前記３回の蓄積期間の少なくとも１つの蓄積期間内において発光させる光の相対光量がＣＩＥＸＹＺ等色関数の３種類のスペクトル曲線のうちの１つの曲線に近似した相対光量となるように発光させることを特徴とする画像読取装置。
【請求項７】
互いに異なる発光スペクトルを有する４つ以上の発光素子により照射された原稿からの反射光を読取って画像信号を生成する画像読取装置の制御方法であって、
前記４つ以上の発光素子の発光期間を制御して、原稿の一走査線上の画像情報を読み取って蓄積する３回の蓄積期間のそれぞれにおいて前記発光素子の全て又は一部を同時又は異なる期間に発光させる制御工程と、
前記制御工程による制御に従って前記４つ以上の発光素子から前記原稿に向けて光が発せられることにより得られる前記原稿からの反射光を光電変換センサにより受光して光電変換する光電変換工程と、
前記光電変換工程で光電変換された電気信号に基づいて、前記原稿の画像情報を読み取る読み取り工程とを有し、
前記光電変換工程は、前記３回の蓄積期間のそれぞれにおいて前記原稿からの反射光を受光し、前記制御工程は、前記３回の蓄積期間のそれぞれ毎に、所定の発光期間に対する、前記光電変換センサにより検出される白色基準板からの反射光強度と目標最大反射光強度との比率に基づいて決定される最大発光時間と、ＣＩＥＸＹＺ等色関数を近似するための係数とに基づいて決定される発光期間で前記４つ以上の発光素子の全て又は一部を発光させて、前記３回の蓄積期間の少なくとも１つの蓄積期間内において発光させる光の相対光量がＣＩＥＸＹＺ等色関数の３種類のスペクトル曲線のうちの１つの曲線に近似した相対光量となるように発光させることを特徴とする画像読取装置の制御方法。
【手続補正２】
【補正対象書類名】明細書
【補正対象項目名】００４０
【補正方法】変更
【補正の内容】
【００４０】
本発明の一態様に係る画像読取装置は、以下のような構成を備える。即ち、
互いに異なる発光スペクトルを有する４つ以上の発光素子と、
前記４つ以上の発光素子の発光期間を制御して、原稿の一走査線上の画像情報を読み取って蓄積する３回の蓄積期間のそれぞれにおいて前記発光素子の全て又は一部を同時又は異なる期間に発光させる発光制御手段と、
光電変換センサを有し、前記発光制御手段による制御に従って前記４つ以上の発光素子から前記原稿に向けて光が発せられることにより得られる前記原稿からの反射光を受光して光電変換する光電変換手段と、
前記光電変換手段により光電変換された電気信号に基づいて、前記原稿の画像情報を読み取る読み取り手段とを有し、
前記光電変換手段は、３回の蓄積期間のそれぞれにおいて前記原稿からの反射光を受光し、
前記発光制御手段は、前記３回の蓄積期間のそれぞれ毎に、所定の発光期間に対する、前記光電変換センサにより検出される白色基準板からの反射光強度と目標最大反射光強度との比率に基づいて決定される最大発光時間と、ＣＩＥＸＹＺ等色関数を近似するための係数とに基づいて決定される発光期間で前記４つ以上の発光素子の全て又は一部を発光させて、前記３回の蓄積期間の少なくとも１つの蓄積期間内において発光させる光の相対光量がＣＩＥＸＹＺ等色関数の３種類のスペクトル曲線のうちの１つの曲線に近似した相対光量となるように発光させることを特徴とする。
【国際調査報告】
2006011450.tif 000025
2006011450.tif 000026
2006011450.tif 000027
2006011450.tif 000028